(57)【要約】【課題】圧縮画像情報のＨＤＤへの書き込み処理に要する処理時間を略一定とする。【解決手段】複写機に配設されたＣＰＵ１２１は、機能的に、画像情報に対して圧縮処理を施して圧縮画像情報を生成する圧縮部１２１ｂと、圧縮画像情報の画像情報に対する圧縮率を求める圧縮率算出部１２１ｃと、圧縮率算出部１２１ｃによって求められた圧縮率に基づいて、ＨＤＤ１３上に形成された記憶領域の範囲を示す格納領域を決定する格納領域決定部１２１ｄと、格納領域決定部１２１ｄにより決定されたＨＤＤ１３の格納領域へ、圧縮部１２１ｂにより生成された圧縮画像情報を書き込む書込部１２１ｅとを備えている。【選択図】図２
2007235298.tif 000002
【特許請求の範囲】
【請求項１】
画像情報に圧縮処理を施すことにより圧縮画像情報を生成する圧縮手段と、
前記圧縮画像情報の前記画像情報に対する圧縮率を求める圧縮率算出手段と、
前記圧縮率に基づいて、前記ハードディスクドライブ上に形成された記憶領域の範囲を示す格納領域を決定する格納領域決定手段と、
前記格納領域決定手段により決定された格納領域へ前記圧縮画像情報を書き込む書込手段とを備えることを特徴とする画像記憶装置。
【請求項２】
前記格納領域決定手段は、前記圧縮率が大きい程、前記ハードディスクドライブを構成するプラッタの外周に近い格納領域を決定することを特徴とする請求項１に記載の画像記憶装置。
【請求項３】
圧縮率の大きさに基づいて予め設定された複数の圧縮率区分毎に、前記ハードディスクドライブを構成するプラッタにおいて、略同心円状に設定された所定範囲の格納領域を示す情報を格納する領域記憶手段を備え、
前記格納領域決定手段は、前記圧縮率が、前記圧縮率区分の内、どの圧縮率区分に含まれるかを判定し、対応する格納領域を示す情報を読み出すことにより格納領域を決定することを特徴とする請求項１又は請求項２に記載の画像記憶装置。
【請求項４】
前記請求項１〜請求項３のいずれかに記載の画像記憶装置と、
原稿に形成された画像を読み取ることにより、画像情報を生成する画像生成手段と
を備え、
前記書込手段は、前記画像生成手段により生成された画像情報に対応する圧縮画像情報を前記ハードディスクドライブへ書き込むことを特徴とする画像形成装置。
【請求項５】
前記ハードディスクドライブから前記圧縮画像情報を読み出して、前記圧縮画像情報に伸張処理を施すことにより伸張画像情報を生成する伸張手段と、
記録紙上に前記伸張画像情報に対応する画像を形成する印刷手段を備えることを特徴とする請求項４に記載の画像形成装置。
【請求項６】
前記請求項１〜請求項３のいずれかに記載の画像記憶装置と、
所定の画像情報に対応する画像を記録紙上に形成する印刷手段と
を備え、
前記書込手段は、前記所定の画像情報に対応する圧縮画像情報を前記ハードディスクドライブへ書き込むことを特徴とする画像形成装置。
【発明の詳細な説明】
【技術分野】
【０００１】
本発明は、ハードディスクドライブに圧縮処理された画像情報を格納する画像記憶装置及び画像形成装置に関するものである。特に、スキャナ、複写機、及び、これらの機能の内のいずれかの機能を有する複合機に関するものである。
【背景技術】
【０００２】
原稿に形成された画像を読み取って画像情報を生成し、生成された画像情報をＨＤＤ（Ｈａｒｄ  Ｄｉｓｋ  Ｄｒｉｖｅ：ハードディスクドライブ）に格納する複写機等の画像形成装置がある。このような複写機では、複数枚の原稿を複数部だけコピーする場合に、複数枚の原稿に形成された画像を読み取り、形成された複数の画像情報を、一旦、ＨＤＤに格納した後、ＨＤＤから画像情報を読み出して印刷する。
【０００３】
このように、ＨＤＤに一旦画像情報を格納することにより、原稿に形成された画像を一度だけ読み取ることにより、前記複数枚の原稿を複数部だけコピーすることが可能となる。一方、ＨＤＤに格納することが可能な画像情報の個数を増大する（又は、必要なＨＤＤの容量を削減する）ため、画像情報に圧縮処理を施し、得られた圧縮画像情報をＨＤＤに格納することが提案されている（特許文献１参照）。
【特許文献１】特開２００４−１５９０６９号公報
【発明の開示】
【発明が解決しようとする課題】
【０００４】
しかしながら、画像情報の種類によって圧縮率が異なり、圧縮処理により得られる圧縮画像情報のサイズが異なるため、圧縮画像情報のＨＤＤへの書き込み処理及びＨＤＤからの読み出し処理に要する処理時間が、画像の種類によって異なる結果になる。すなわち、例えば、ＪＰＥＧ（Ｊｏｉｎｔ  Ｐｈｏｔｏｇｒａｐｈｉｃ  Ｅｘｐｅｒｔｓ  Ｇｒｏｕｐ）方式で圧縮を行う場合には、原稿に形成された画像が写真画像である場合には小さい圧縮率が得られるが、原稿に形成された画像が図形画像である場合には、圧縮率は大きくなる。
【０００５】
その結果、図形画像に対応する圧縮画像情報のＨＤＤへの書き込み処理及びＨＤＤからの読み出し処理に要する処理時間が、写真画像に対応する圧縮画像情報のＨＤＤへの書き込み処理及びＨＤＤからの読み出し処理に要する処理時間より大きくなり、原稿画像の読み取り処理（原稿画像の読み取り〜ＨＤＤへの書き込み処理）、及び、印刷処理（ＨＤＤからの読み出し処理〜記録紙上への画像形成処理）について所望の処理速度が得られない場合がある。
【０００６】
本発明は、上記課題に鑑みてなされたものであって、圧縮画像情報のＨＤＤへの書き込み処理及びＨＤＤからの読み出し処理に要する処理時間の少なくとも一方を略一定とすることが可能な画像記憶装置及び画像形成装置を提供することを目的としている。
【課題を解決するための手段】
【０００７】
上記目的を達成するために請求項１に記載の画像記憶装置は、画像情報に圧縮処理を施すことにより圧縮画像情報を生成する圧縮手段と、前記圧縮画像情報の前記画像情報に対する圧縮率を求める圧縮率算出手段と、前記圧縮率に基づいて、前記ハードディスクドライブ上に形成された記憶領域の範囲を示す格納領域を決定する格納領域決定手段と、前記格納領域決定手段により決定された格納領域へ前記圧縮画像情報を書き込む書込手段とを備えることを特徴としている。
【０００８】
請求項２に記載の画像記憶装置は、請求項１に記載の画像記憶装置であって、前記格納領域決定手段が、前記圧縮率が大きい程、前記ハードディスクドライブを構成するプラッタの外周に近い格納領域を決定することを特徴としている。
【０００９】
請求項３に記載の画像記憶装置は、請求項１又は請求項２に記載の画像記憶装置であって、圧縮率の大きさに基づいて予め設定された複数の圧縮率区分毎に、前記ハードディスクドライブを構成するプラッタにおいて、略同心円状に設定された所定範囲の格納領域を示す情報を格納する領域記憶手段を備え、前記格納領域決定手段は、前記圧縮率が、前記圧縮率区分の内、どの圧縮率区分に含まれるかを判定し、対応する格納領域を示す情報を読み出すことにより格納領域を決定することを特徴としている。
【００１０】
請求項４に記載の画像形成装置は、前記請求項１〜請求項３のいずれかに記載の画像記憶装置と、原稿に形成された画像を読み取ることにより、画像情報を生成する画像生成手段とを備え、前記書込手段が、前記画像生成手段により生成された画像情報に対応する圧縮画像情報を前記ハードディスクドライブへ書き込むことを特徴としている。
【００１１】
請求項５に記載の画像形成装置は、請求項４に記載の画像形成装置であって、前記ハードディスクドライブから前記圧縮画像情報を読み出して、前記圧縮画像情報に伸張処理を施すことにより伸張画像情報を生成する伸張手段と、記録紙上に前記伸張画像情報に対応する画像を形成する印刷手段を備えることを特徴としている。
【００１２】
請求項６に記載の画像形成装置は、前記請求項１〜請求項３のいずれかに記載の画像記憶装置と、所定の画像情報に対応する画像を記録紙上に形成する印刷手段とを備え、前記書込手段が、前記所定の画像情報に対応する圧縮画像情報を前記ハードディスクドライブへ書き込むことを特徴としている。
【発明の効果】
【００１３】
請求項１に記載の画像形成装置によれば、圧縮率に基づいて、ハードディスクドライブ上に形成された記憶領域の範囲を示す格納領域が決定され、決定された格納領域へ圧縮画像情報が書き込まれるため、格納領域を適正に設定することにより、圧縮画像情報のハードディスクドライブへの書き込み処理に要する処理時間を略一定とすることができる。すなわち、ハードディスクドライブ上に形成された記憶領域の内、書き込み速度が早い記憶領域に圧縮率の大きな（＝サイズの大きな）圧縮画像情報を書き込み、書き込み速度が遅い記憶領域に圧縮率の小さな（＝サイズの小さな）圧縮画像情報を書き込むべく、格納領域を決定すればよい。
【００１４】
請求項２に記載の画像形成装置によれば、圧縮率が大きい程、ハードディスクドライブを構成するプラッタの外周に近い格納領域が決定されるため、書き込み速度が早いプラッタの外周に近い格納領域に圧縮率の大きな（＝サイズの大きな）圧縮画像情報が書き込まれ、書き込み速度が遅いプラッタの外周から遠い格納領域に圧縮率の小さな（＝サイズの小さな）圧縮画像情報が書き込まれる。その結果、圧縮画像情報のハードディスクドライブへの書き込み処理に要する処理時間を略一定とすることができる。
【００１５】
請求項３に記載の画像形成装置によれば、圧縮率が、圧縮率の大きさに基づいて予め設定された複数の圧縮率区分の内、どの圧縮率区分に含まれるかが判定され、ハードディスクドライブを構成するプラッタにおいて略同心円状に設定された所定範囲の格納領域の中から対応する格納領域を示す情報が読み出されて、格納領域が決定されるため、適正な格納領域を簡単な処理で決定することができる。
【００１６】
請求項４に記載の画像形成装置によれば、請求項１〜請求項３のいずれかに記載の画像記憶装置を備えるため、格納領域を適正に設定することにより、圧縮画像情報のハードディスクドライブへの書き込み処理に要する処理時間を略一定とすることが可能な画像形成装置を実現することができる。
【００１７】
請求項５に記載の画像形成装置によれば、ハードディスクドライブから圧縮画像情報が読み出されて、圧縮画像情報に伸張処理を施すことにより伸張画像情報が生成され、伸張画像情報に対応する画像が形成されるため、印刷処理において、圧縮画像情報のハードディスクドライブからの読み出し処理に要する処理時間を略一定とすることが可能な画像形成装置を実現することができる。
【００１８】
請求項６に記載の画像形成装置によれば、請求項１〜請求項３のいずれかに記載の画像記憶装置を備えるため、格納領域を適正に設定することにより、圧縮画像情報のハードディスクドライブへの書き込み処理に要する処理時間を略一定とすることが可能な画像形成装置を実現することができる。
【発明を実施するための最良の形態】
【００１９】
以下、本発明に係る画像形成装置の一例について図面を参照して説明する。図１は、本発明に係る画像形成装置の概略構成の一例を示すブロック図である。なお、ここでは、画像形成装置が、複写機である場合について説明するが、ハードディスクドライブに圧縮処理された画像情報を格納する他の画像形成装置（例えば、スキャナ、ファクシミリ、プリンタ等）である形態でもよい。図１に示すように、複写機１は、画像生成部１１、制御部１２、ハードディスクドライブ（ＨＤＤ：Ｈａｒｄ  Ｄｉｓｋ  Ｄｒｉｖｅ）１３、及び、印刷処理部１４を備えている。
【００２０】
画像生成部１１（画像生成手段の一部に相当する）は、原稿に形成された画像を読み取り原稿画像情報を生成するものであって、スキャナ１１１及びＡＤＦ１１２を備えている。スキャナ１１１は、読み取る対象の原稿に光を当て、反射光をＣＣＤ（Ｃｈａｒｇｅ  Ｃｏｕｐｌｅｄ  Ｄｅｖｉｃｅｓ）などで読み取って原稿画像情報を生成するものである。ＡＤＦ（Ａｕｔｏｍａｔｉｃ  Ｄｏｃｕｍｅｎｔ  Ｆｅｅｄｅｒ）１１２は、スキャナ１１１の原稿読み取り位置へ原稿を搬送するものである。
【００２１】
制御部１２（画像記憶装置の一部に相当する）は、複写機１全体の動作を制御するものであって、ＣＰＵ（Ｃｅｎｔｒａｌ  Ｐｒｏｃｅｓｓｉｎｇ  Ｕｎｉｔ）１２１と、ＲＡＭ（Ｒａｎｄｏｍ  Ａｃｃｅｓｓ  Ｍｅｍｏｒｙ）１２２と、図略のＲＯＭ（Ｒｅａｄ  Ｏｎｌｙ  Ｍｅｍｏｒｙ）とを備えている。ＨＤＤ１３（画像記憶装置の一部に相当する）は、制御部１２からの指示に応じて各種情報を格納するものであって、ここでは、画像生成部１１で生成された画像情報（正確には、後述する圧縮画像情報）を格納するものである。
【００２２】
印刷処理部１４は、記録紙上に電子写真方式で画像（ここでは、画像生成部１１で生成された画像情報に対応する画像）を形成するものであって、現像ユニット１４１、感光ユニット１４２、及び、定着ユニット１４３を備えている。現像ユニット１４１は、原稿に形成された画像を読み取って生成された原稿画像に対応する静電潜像を、レーザビーム等によって感光ドラムの表面に形成すると共に、形成された静電潜像にトナーを付着させてトナー像を形成するものである。感光ユニット１４２は、感光ドラムを備え、まず、感光ドラムの表面が帯電ローラによって略均一に帯電され、次に、現像ユニット１４１によって、原稿画像に対応する静電潜像にトナーが付着されてトナー像が形成され、更に、そのトナー像が転写ローラによって記録用紙上に転写されるものである。定着ユニット１４３は、定着ローラを備え、感光ドラムに形成されたトナー像を記録用紙上に転写するものである。
【００２３】
図２は、制御部１２の一例を示す機能構成図である。ＣＰＵ１２１は、機能的に、画像生成制御部１２１ａ、圧縮部１２１ｂ、圧縮率算出部１２１ｃ、格納領域決定部１２１ｄ、書込部１２１ｅ、読出伸張部１２１ｆ、及び、画像生成制御部１２１ｇを備え、ＲＡＭ１２２は、機能的に、領域記憶部１２２ａを備えている。
【００２４】
ここでは、ＣＰＵ１２１が、ＲＯＭ等に予め格納されたプログラムを読み出して実行することにより、画像生成制御部１２１ａ、圧縮部１２１ｂ、圧縮率算出部１２１ｃ、格納領域決定部１２１ｄ、書込部１２１ｅ、読出伸張部１２１ｆ、及び、画像生成制御部１２１ｇ等の機能部として機能すると共に、ＲＡＭ１２２を、領域記憶部１２２ａ等の機能部として機能させるものである。
【００２５】
また、ＲＡＭ１２２、ＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００２６】
画像生成制御部１２１ａ（画像生成手段の一部に相当する）は、画像生成部１１を介して、原稿に形成された画像を読み取り原稿画像情報を生成するものである。
【００２７】
圧縮部１２１ｂ（圧縮手段に相当する）は、画像生成制御部１２１ａにより生成された原稿画像情報（以下、単に画像情報という）に対して圧縮処理を施して圧縮画像情報を生成するものである。圧縮処理は、例えば、ＪＰＥＧ（Ｊｏｉｎｔ  Ｐｈｏｔｏｇｒａｐｈｉｃ  Ｅｘｐｅｒｔｓ  Ｇｒｏｕｐ）方式等で行われる。
【００２８】
圧縮率算出部１２１ｃ（圧縮率算出手段に相当する）は、圧縮画像情報の画像情報に対する圧縮率ＣＲを求めるものである。すなわち、次式で圧縮率ＣＲが算出される。
（圧縮率ＣＲ）＝（圧縮画像情報のサイズ）／（画像情報のサイズ）×１００（％）
格納領域決定部１２１ｄ（格納領域決定手段に相当する）は、圧縮率算出部１２１ｃによって求められた圧縮率ＣＲに基づいて、ＨＤＤ１３上に形成された記憶領域の範囲を示す格納領域を決定するものである。また、格納領域決定部１２１ｄは、圧縮率ＣＲが大きい程（＝圧縮画像情報のサイズが大きい程）、ＨＤＤ１３を構成するプラッタ１３２（図３（ａ）参照）の外周に近い格納領域を決定するものである。
【００２９】
より具体的には、格納領域決定部１２１ｄは、圧縮率ＣＲの範囲（＝圧縮率区分）と格納領域情報とが対応づけて格納された領域記憶部１２２ａから、圧縮率ＣＲに対応する（圧縮率ＣＲが含まれる圧縮率区分に対応する）格納領域情報を読み出すことにより格納領域を決定するものである。次に、図３及び図４を用いて、格納領域決定部１２１ｄ及び領域記憶部１２２ａの機能を具体的に説明する。
【００３０】
図３は、ＨＤＤ１３の記憶領域の構成の一例を説明する構成図である。図３の（ａ）は、ＨＤＤ１３の記憶領域の一例を説明する構成図である。ＨＤＤ１３は、複数（ここでは３枚）のプラッタ１３２が互いに平行に配設されたシリンダ１３１を備えている。各プラッタ１３２の上面には、記憶領域が形成され、記憶領域は、半径方向に略同一の範囲（＝幅）の記憶領域であるトラック１３４に分割され、各トラック１３４は、略同一の長さ（円弧の長さ）を有するセクタ１３３に分割されている。例えば、ここでは、各プラッタ１３２の上面の記憶領域は、９個のトラック１３４に分割され、各トラック１３４は、２４個のセクタ１３３に分割されている。
【００３１】
図３の（ｂ）は、１枚のプラッタ１３２の上面に設定された格納領域の一例を示す概念図である。１枚のプラッタ１３２の上面の記憶領域には、外周部から順に同心円状に、５つの格納領域１３２ａ〜１３２ｅが設定されている。図４は、領域記憶部１２２ａに格納されたテーブルの一例を示す図表である。領域記憶部１２２ａには、圧縮率ＣＲの範囲（＝ここでは５つの圧縮率区分）と格納領域情報とが対応づけて格納されている。例えば、圧縮率ＣＲが１０％以上２０％未満である場合には、格納領域として、図３の（ｂ）に示す外周部から２番目の格納領域１３２ｂが決定される。
【００３２】
再び、図２に示す機能構成図を用いて制御部１２の機能構成を説明する。書込部１２１ｅ（書込手段に相当する）は、格納領域決定部１２１ｄにより決定されたＨＤＤ１３の格納領域へ、圧縮部１２１ｂにより生成された圧縮画像情報を書き込むものである。読出伸張部１２１ｆ（伸張手段に相当する）は、ＨＤＤ１３から圧縮画像情報を読み出して、圧縮画像情報に伸張処理を施すことにより伸張画像情報を生成するものである。画像生成制御部１２１ｇ（印刷手段の一部に相当する）は、印刷処理部１４を介して記録紙上に、読出伸張部１２１ｆにより生成された伸張画像情報に対応する画像を形成するものである。
【００３３】
図５は、原稿画像の読み取り処理（原稿画像の読み取り〜ＨＤＤへの書き込み処理）における制御部１２の動作の一例を示すフローチャートである。まず、画像生成制御部１２１ａによって、原稿に形成された画像が読み取られ、原稿画像情報が生成される（Ｓ１０１）。次に、原稿画像情報に対して、γ補正等の画像処理が施され（Ｓ１０３）、画像処理後の画像情報に対して圧縮部１２１ｂによって圧縮処理が施されて、圧縮画像情報が生成される（Ｓ１０５）。そして、圧縮率算出部１２１ｃによって、圧縮率ＣＲが求められる（Ｓ１０７）。次いで、格納領域決定部１２１ｄによって、ステップＳ１０７において求められた圧縮率ＣＲが含まれる圧縮率区分に対応するＨＤＤ１３上の格納領域情報が領域記憶部１２２ａから読み出され、格納領域が決定される（Ｓ１０９）。そして、書込部１２１ｅによって、ステップＳ１０５において生成された圧縮画像情報がステップＳ１０９において決定された格納領域に格納され（Ｓ１１１）、処理が終了される。
【００３４】
図６は、印刷処理（ＨＤＤからの読み出し処理〜記録紙上への画像形成処理）における制御部１２の動作の一例を示すフローチャートである。まず、読出伸張部１２１ｆによって、ＨＤＤ１３から圧縮画像情報が読み出される（Ｓ２０１）。そして、読出伸張部１２１ｆによって、ステップＳ２０１において読み出された圧縮画像情報に対して伸張処理が施される（Ｓ２０３）。次に、印刷用のγ補正等の画像処理が施され（Ｓ２０５）、画像生成制御部１２１ｇによって、画像処理後の画像情報に対応する画像が記録紙上に形成され（Ｓ２０７）、処理が終了される。
【００３５】
このようにして、格納領域決定部１２１ｄによって、圧縮率ＣＲに基づいて、ＨＤＤ１３上に形成された記憶領域の範囲を示す格納領域が決定され、書込部１２１ｅによって、格納領域決定部１２１ｄにより決定された格納領域へ圧縮画像情報が書き込まれるため、格納領域を適正に設定することにより、圧縮画像情報のＨＤＤ１３への書き込み処理に要する処理時間を略一定とすることができる。
【００３６】
また、格納領域決定部１２１ｄによって、圧縮率ＣＲが大きい程、ＨＤＤ１３を構成するプラッタ１３２の外周に近い格納領域が決定されるため、書き込み速度が早いプラッタ１３２の外周に近い格納領域に圧縮率の大きな（＝サイズの大きな）圧縮画像情報が書き込まれ、書き込み速度が遅いプラッタの外周から遠い格納領域に圧縮率の小さな（＝サイズの小さな）圧縮画像情報が書き込まれる。その結果、圧縮画像情報のＨＤＤ１３への書き込み処理に要する処理時間を略一定とすることができる。
【００３７】
更に、格納領域決定部１２１ｄによって、圧縮率ＣＲが、圧縮率ＣＲの大きさに基づいて予め設定された複数の（ここでは５つの）圧縮率区分の内、どの圧縮率区分に含まれるかが判定され、略同心円状に設定された所定範囲の格納領域の中から対応する格納領域を示す情報が読み出されて、格納領域が決定されるため、適正な格納領域を簡単な処理で決定することができる。
【００３８】
加えて、格納領域決定部１２１ｄによってＨＤＤ１３の適所に格納された圧縮画像情報が読み出され、圧縮画像情報に伸張処理を施すことにより伸張画像情報が生成され、画像生成制御部１２１ｇによって、伸張画像情報に対応する画像が形成されるため、印刷処理において、圧縮画像情報のＨＤＤ１３からの読み出し処理に要する処理時間を略一定とすることが可能な複写機１を実現することができる。
【００３９】
なお、本発明は、以下の形態にも適用可能である。
【００４０】
（Ａ）本実施形態では、格納領域決定部１２１ｄが圧縮率ＣＲに基づいてＨＤＤ１３上に形成された記憶領域の範囲を示す格納領域を決定する場合について説明したが、圧縮率ＣＲに加えて他の情報（例えば、原稿画像のサイズ情報）に基づいて格納領域を決定する形態でもよい。
【００４１】
例えば、原稿画像のサイズが大きい程、ＨＤＤ１３を構成するプラッタ１３２の外周に近い格納領域を決定する形態でもよい。この場合には、原稿画像のサイズが大きい（＝画像情報のサイズが大きい）程、ＨＤＤ１３を構成するプラッタ１３２の外周に近い格納領域に格納されるため、読み出し速度の速い領域にサイズが大きい画像情報が格納され、読み出し時間が更に均一化される。
【００４２】
（Ｂ）本実施形態では、プラッタ１３２に５つの圧縮率区分に対応する格納領域が設定される場合について説明したが、他の２以上の圧縮率区分に対応する格納領域が設定される形態でもよい。圧縮率区分を多く設定する程、圧縮画像情報のＨＤＤへの書き込み処理及びＨＤＤからの読み出し処理に要する処理時間を可及的に均一化することができる。
【００４３】
（Ｃ）本実施形態では、格納領域決定部１２１ｄが、領域記憶部１２２ａに格納されたテーブルを介して格納領域を決定する場合について説明したが、格納領域決定部１２１ｄが、圧縮率ＣＲから演算により格納領域を決定する形態でもよい。この場合には、圧縮画像情報のＨＤＤへの書き込み処理及びＨＤＤからの読み出し処理に要する処理時間を、更に均一化することができる。
【図面の簡単な説明】
【００４４】
【図１】は、本発明に係る画像形成装置の概略構成の一例を示すブロック図である。
【図２】は、制御部の一例を示す機能構成図である。
【図３】は、ＨＤＤの記憶領域の構成の一例を説明する構成図である。
【図４】は、領域記憶部に格納されたテーブルの一例を示す図表である。
【図５】は、原稿画像の読み取り処理における制御部の動作の一例を示すフローチャートである。
【図６】は、印刷処理における制御部の動作の一例を示すフローチャートである。
【符号の説明】
【００４５】
１    複写機
１１    画像生成部（画像生成手段の一部）
１２    制御部（画像記憶装置の一部）
１２１    ＣＰＵ
１２１ａ    画像生成制御部（画像生成手段の一部）
１２１ｂ    圧縮部（圧縮手段）
１２１ｃ    圧縮率算出部（圧縮率算出手段）
１２１ｄ    格納領域決定部（格納領域決定手段）
１２１ｅ    書込部（書込手段）
１２１ｆ    読出伸張部（伸張手段）
１２１ｇ    画像生成制御部（印刷手段の一部）
１２２    ＲＡＭ
１２２ａ    領域記憶部（領域記憶手段）
１３    ＨＤＤ（画像記憶装置の一部）
１４    印刷処理部（印刷手段の一部）
【図１】
2007235298.tif 000003
【図２】
2007235298.tif 000004
【図４】
2007235298.tif 000005
【図５】
2007235298.tif 000006
【図６】
2007235298.tif 000007
【図３】
2007235298.tif 000008